(57)【要約】【課題】運転停止時に送風ファンや回転体、多孔体に付着する水滴を、運転停止時に一定時間清掃運転することで、水滴が原因で起こるカビや雑菌の発生のを防止するナノミストとマイナスイオン発生装置を提供する。【解決手段】送風ファン５と同軸に取り付けられ回転することで、処理室２に貯水された水を汲み上げ飛散させる回転体１１と、前記回転体１１と共に回転し該回転体１１から飛散した水がぶつかって破砕することで、ナノミストとマイナスイオンを発生させる多孔体１３とを備え、この発生したナノミストとマイナスイオンを前記送風ファン５の送風で放出口９から室内に放出するようにしたもので、運転停止後には送風ファン５、回転体１１、多孔体１３に付着している水滴を除去する清掃運転を一定時間行うので、運転停止しても送風ファンや回転体や多孔体には水滴の付着がなくなる。【選択図】  図３
2011089676.tif 000002
【特許請求の範囲】
【請求項１】
駆動モータの支軸に取り付けられ吸引口から吸引した空気を放出口から放出させる送風ファンと、前記送風ファンと同軸に取り付けられ回転することで、処理室に貯水された水を汲み上げ飛散させる回転体と、前記回転体と共に回転し該回転体から飛散した水がぶつかって破砕することで、ナノミストとマイナスイオンを発生させる多孔体とを備え、この発生したナノミストとマイナスイオンを前記送風ファンの送風で放出口から室内に放出するようにしたものに於いて、運転停止後には送風ファン、回転体、多孔体に付着している水滴を除去する清掃運転を一定時間行う事を特徴とするナノミストとマイナスイオン発生装置。
【請求項２】
前記清掃運転は、駆動モータの駆動を一旦停止し、処理室内の貯水を保管タンクに移動させた後に、駆動モータを再駆動させ送風ファン、回転体、多孔体を回転させて水を切るようにした事を特徴とする請求項１記載のナノミストとマイナスイオン発生装置。
【請求項３】
前記清掃運転時には、吸引口近傍に備えた気化用ヒータに通電して、送風ファン、回転体、多孔体を乾燥させるようにした事を特徴とする請求項２記載のナノミストとマイナスイオン発生装置。
【発明の詳細な説明】
【技術分野】
【０００１】
この発明は、水の破砕によって発生する自然界で発生するものと同様なナノミストとマイナスイオンを室内に供給して空気を清浄にするナノミストとマイナスイオン発生装置に関するものである。
【背景技術】
【０００２】
従来よりこの種のものでは、駆動モータに送風ファンと回転体とを回転自在に取り付けて、回転させることによりナノミスト状の霧を発生させて室内を良好に加湿しようとするものであった。
【先行技術文献】
【特許文献】
【０００３】
【特許文献１】特開平７−２４３６７７号公報
【発明の概要】
【発明が解決しようとする課題】
【０００４】
ところでこの従来のものでは、回転体が常に水中に浸っており、又送風ファンは水上ではあるが駆動を停止すると本体内ではあるが、加湿雰囲気中なので水滴が付着することになり、これが長期間の使用や放置により送風ファンや回転体等にカビや雑菌等が繁殖してしまい、これが駆動されると室内に放出されて、健康上の問題にも発展する危険を有するものであった。
【課題を解決するための手段】
【０００５】
この発明はこの点に着目し上記課題を解決する為、特にその構成を、請求項１では、駆動モータの支軸に取り付けられ吸引口から吸引した空気を放出口から放出させる送風ファンと、前記送風ファンと同軸に取り付けられ回転することで、処理室に貯水された水を汲み上げ飛散させる回転体と、前記回転体と共に回転し該回転体から飛散した水がぶつかって破砕することで、ナノミストとマイナスイオンを発生させる多孔体とを備え、この発生したナノミストとマイナスイオンを前記送風ファンの送風で放出口から室内に放出するようにしたものに於いて、運転停止後には送風ファン、回転体、多孔体に付着している水滴を除去する清掃運転を一定時間行うものである。
【０００６】
又請求項２では、前記清掃運転は、駆動モータの駆動を一旦停止し、処理室内の貯水を保管タンクに移動させた後に、駆動モータを再駆動させ送風ファン、回転体、多孔体を回転させて水を切るようにしたものである。
【０００７】
又請求項３では、前記清掃運転時には、吸引口近傍に備えた気化用ヒータに通電して、送風ファン、回転体、多孔体を乾燥させるようにしたものである。
【発明の効果】
【０００８】
以上のようにこの発明によれば、運転停止後には送風ファン、回転体、多孔体に付着している水滴を除去する清掃運転を一定時間行うので、運転停止しても送風ファンや回転体や多孔体には水滴の付着がなくなり、長期間の使用や放置されてもカビや雑菌の発生を防止して、室内への拡散による健康の危険を未然に阻止するものであり、更に水分子付加マイナスイオン分子群が直接肌等に作用し、又肺から吸引されたマイナスイオンは血液中に入り、その還元作用で血液の酸化を阻止しアルカリ性の血液サラサラ状態とすると共に、その循環を良くし、末梢血管まで血液を行き渡らせることにより、痛みや懲りを緩和することができるものと考えられ、又マイナスイオンには、疲労回復効果、精神安定効果、血液の浄化効果、抵抗力の増進効果、自律神経調整効果等があり、更にナノミストによって、空気中の隅々まで行き渡り汚れた空気や細菌を抑制し、臭いまでも分解するもので、脱臭効果、除塵効果、除菌効果、勿論加湿効果があるものであり、この加湿はベトツキがないサラサラで潤いのある空気で、毛穴からの浸透でお肌と髪の潤いを保つ効果を有するものである。
【０００９】
又請求項２では、前記清掃運転は、駆動モータの駆動を一旦停止し、処理室内の貯水を保管タンクに移動させた後に、駆動モータを再駆動させ送風ファン、回転体、多孔体を回転させて水を切るようにしたので、回転体や多孔体を回転させてもナノミストやマイナスイオンが発生することがなく、確実に水を切ることが出来るので、カビや雑菌の発生がなく、常に安心して使用出来るものである。
【００１０】
又請求項３では、前記清掃運転時には、吸引口近傍に備えた気化用ヒータに通電して、送風ファン、回転体、多孔体を乾燥させるようにしたので、完全にカビや雑菌の発生は阻止され、常に良好な状態を維持出来るので、長期に渡って使用出来るものである。
【図面の簡単な説明】
【００１１】
【図１】この発明の一実施形態を示すナノミストとマイナスイオン発生装置の概略構成図。
【図２】同要部電気回路のブロック図。
【図３】同要部のフローチャート。
【発明を実施するための形態】
【００１２】
次にこの発明の一実施形態を図面に基づいて説明する。
１はナノミストとマイナスイオン発生装置で、内方中央部には凹状の処理室２が形成され、この処理室２にはカートリッジ式の給水タンク（図示せず）からの給水が供給され、落差方式で所定水位で水を貯水するものである。
【００１３】
３は前記処理室２の下部に備えられた駆動モータで、支軸４を処理室２底部を水密に貫通して立設し、この支軸４の上端には細い縦羽根を複数並設し円状としたシロッコファンから成る送風ファン５が設けられ、回転することによって、器具背面上部の吸引口６から室内空気を吸引し、処理室２内に上部から垂下して送風ファン５を覆った空気案内筒７内に流入して、送風ファン５に吸引されたた後に、空気案内筒７下端と水面との隙間から該空気案内筒７と処理室２との流通隙間８を上昇し、器具前面上部の放出口９から室内に放出する送風経路１０を形成しているものである。
【００１４】
１１は前記送風ファン５と同軸に取り付けられ回転することで、処理室２に貯水された水を汲み上げ、上端の複数の飛散穴１２から外方に飛散させる下端に向かって徐々に小径となる擂り鉢状の回転体で、この回転体１１の上部外周には飛散した水がぶつかって破砕することで、ナノミストとマイナスイオンを発生させるスリット、パンチングメタル、金網等から成る多孔体１３が、飛散穴１２と対向する位置に垂下して備えられている。
【００１５】
１４は駆動モータ３の下に備えた保管タンクで、電動開閉弁１５を途中に設けた連絡パイプ１６を介して処理室２と連通し、運転停止時の自動清掃運転時には、制御回路１７からの信号で電動開閉弁１５を開成して、処理室２内の貯水を保管タンク１４へ移して該処理室２を空の状態にするものである。
【００１６】
前記制御回路１７は、運転停止スイッチ１８からの信号で、駆動モータ３の駆動を停止させて運転停止するが、これと同時に制御回路１７内のタイマ手段１９が駆動開始して自動的に清掃運転に入るもので、所定時間ここでは５分間のカウントを行うが、この間に前記したように処理室２内を空の状態として、駆動モータ３を再駆動させ送風ファン５及び回転体１１及び多孔体１３を回転させて付着している水を切るものであり、又これと同時に吸引口６近傍に備えられた気化用ヒータ２０にもタイマ手段１９を介して通電され、回転している送風ファン５の給気で温風となって、送風ファン５及び多孔体１３、回転体１１、処理室２と順に送風されることで、これらの湿気をなくして乾燥させて、カビや雑菌の発生を阻止して常に清潔な状態から運転開始出来るように自動的な清掃運転を行うようにしたものである。
【００１７】
次にこの一実施形態の作動について説明する。
今運転が開始されれば、制御回路１６を介して駆動モータ３が駆動開始し、これにより送風ファン５が回転して吸引口６から室内空気が吸引され、又これと同時に同軸の回転体１１も回転して、処理室２に貯水されている水を回転による遠心力で汲み上げ、飛散穴１２から外周に飛散させることで多孔体１３にぶつかり、そして多孔体１３の全周壁に形成した多数のスリットや金網やパンチングメタル等を、通過させたり、ぶつけて破砕させることで、水の粒子を微細化してナノメートル（ｎｍ）サイズの微細水滴を生成すると共に、この水の粒子の微細化によるレナード効果でマイナスイオンを発生させるものである。
【００１８】
そしてここに前記した送風ファン５で給気された室内空気が送風され、ナノミストを含んで空気案内筒７下端と水面との隙間から該空気案内筒７と処理室２との流通隙間８を上昇する段階で、大粒の水滴は水中に落下してナノサイズのミストのみが流通隙間８を上昇し、又送風中のマイナスイオンも同時に放出口９から室内に放出されるものである。
【００１９】
そしてこれにより、水分子付加マイナスイオン分子群が直接肌等に作用し、又肺から吸引されたマイナスイオンは血液中に入り、その還元作用で血液の酸化を阻止しアルカリ性の血液サラサラ状態とすると共に、その循環を良くし、末梢血管まで血液を行き渡らせることにより、痛みや懲りを緩和することができるものと考えられ、又マイナスイオンには、疲労回復効果、精神安定効果、血液の浄化効果、抵抗力の増進効果、自律神経調整効果等があり、更にナノミストによって、空気中の隅々まで行き渡り汚れた空気や細菌を抑制し、臭いまでも分解するもので、脱臭効果、除塵効果、除菌効果、勿論加湿効果があるものであり、この加湿はベトツキがないサラサラで潤いのある空気で、毛穴からの浸透でお肌と髪の潤いを保つ効果を有するものである。
【００２０】
次に運転停止時の自動清掃運転を図３に示すフローチャートに従って説明すれば、ステップ２１で運転停止スイッチ１８が押圧されるとＹＥＳで、ステップ２２に進み運転停止信号を制御回路１７が受けて、駆動モータ３の駆動を停止することで、ナノミストとマイナスイオンの供給は停止されるが、タイマ手段１９がカウントを開始する。
【００２１】
そしてステップ２３でこのタイマ手段１９のカウントが所定時間の５分をカウントしたかを判断し、ＮＯのカウント中ではステップ２４に進み電動開閉弁１５を開成して、処理室２内の貯水を保管タンク１４に移し該処理室２を空の状態にし、この処理室２の空状態を水位センサ（図示せず）で検知してた後、駆動モータ３を駆動して送風ファン５及び回転体１１及び多孔体１３を回転させて、付着している水を切るものであり、又この時吸引口６近傍に備えられた気化用ヒータ２０も通電されることで、回転している送風ファン５の給気で温風となって、送風ファン５及び多孔体１３、回転体１１、処理室２と順に送風されることで、これらの湿気をなくして乾燥させて、カビや雑菌の発生を阻止して常に清潔な状態から運転開始出来るように自動的な清掃運転を行うものである。
【００２２】
次に前記ステップ２３でタイマ手段１９による５分のカウントアップでＹＥＳとなると、ステップ２５に進んで電動開閉弁１５への通電停止で閉成させ、駆動モータ５の駆動を停止すると共に、気化用ヒータ２０への通電も停止し、全駆動を停止しての本当の運転停止状態となるものである。
【００２３】
一方保管タンク１４内の水は、室内空気が回転体１１と多孔体１３によるナノミスト生成時に、水しぶき内を通過したり、大きな水滴と接触することで、空気ないの塵や細菌が処理室２内の貯水中に入り除去された水なので、そのまま排水されるが、ナノミストとマイナスイオンと共に室内に供給される空気は清潔で綺麗な物で、そして再び吸引口６から吸引されるもので、室内空気の浄化も行える空気清浄能力も有するものである。
【符号の説明】
【００２４】
１  ナノミストとマイナスイオン発生装置
２  処理室
３  駆動モータ
４  支軸
５  送風ファン
６  吸引口
９  放出口
１１  回転体
１３  多孔体
１７  制御回路
１９  タイマ手段
【図１】
2011089676.tif 000003
【図２】
2011089676.tif 000004
【図３】
2011089676.tif 000005